(57)【要約】    【課題】  既存のカメラハウジングの構造を変更することなく簡単かつ安価に、無線によりビデオデータを送信可能とする。    【解決手段】  ビデオカメラ４が収容されるカメラハウジング５のハウジング本体７に形成された開口部を開閉する蓋体８に設けられ、ビデオカメラ４から出力されるビデオデータを送信するための送信部１３と、送信部１３に電力を供給するための電源部１６とで構成する。【選択図】  図１
0003114216.tif 000002
【実用新案登録請求の範囲】
【請求項１】
アンテナと、
ビデオカメラから出力されるビデオデータを前記アンテナを介して無線送信するための送信部と、
前記送信部に電力を供給するための電源部とを備え、
前記ビデオカメラが収容されるカメラハウジングのハウジング本体に形成した開口部を開閉する蓋体に設けられることを特徴とするビデオデータ送信ユニット。
【請求項２】
前記アンテナは、前記送信部に取り付けられ、
前記送信部は、前記蓋体に取り外し可能に取り付けられ、
前記電源部は、前記送信部に対して回動可能に連結されるバッテリーケースと、該バッテリーケースに着脱可能なバッテリーとからなり、前記バッテリーケースは前記蓋体に着脱可能であり、前記送信部に対して折り畳んだ状態では装着したバッテリーを取り外し不能となり、前記送信部から開放した状態で、バッテリーを着脱可能としたことを特徴とする請求項１に記載のビデオデータ送信ユニット。
【請求項３】
前記送信部は前記蓋体に取り付けられる制御基板を備え、
前記電源部は動作状態を示す発光部を備え、
前記蓋体は、少なくとも前記発光部に対応する位置が透光性を有する材料で構成したことを特徴とする請求項１又は２に記載のビデオデータ送信ユニット。
【請求項４】
ビデオカメラと、
該ビデオカメラが開口部を介して収容されるハウジング本体、及び、該ハウジング本体の開口部を開閉可能な蓋体からなるカメラハウジングと、
アンテナ、前記ビデオカメラから出力されるビデオデータを前記アンテナを介して無線送信するための送信部、及び、前記送信部に電力を供給するための電源部からなるビデオデータ送信ユニットとを備え、
前記ビデオデータ送信ユニットを前記カメラハウジングの蓋体に着脱可能としたことを特徴とするビデオカメラ装置。
【請求項５】
ビデオカメラ、該ビデオカメラが開口部を介して収容されるハウジング本体、及び、該ハウジング本体の開口部を開閉可能な蓋体からなるカメラハウジング、並びに、アンテナ、前記ビデオカメラから出力されるビデオデータを前記アンテナを介して無線送信するための送信部、及び、前記送信部に電力を供給するための電源部からなるビデオデータ送信ユニットを備え、前記ビデオデータ送信ユニットを前記カメラハウジングの蓋体に着脱可能としたビデオカメラ装置と、
前記ビデオデータ送信ユニットから送信されたビデオデータを無線により受信するビデオデータ受信ユニットと、
前記ビデオデータ受信ユニットで受信したビデオデータを表示する表示装置と、
を備えたことを特徴とするビデオデータ伝送システム。
【考案の詳細な説明】
【技術分野】
【０００１】
本考案は、防水性等を要求される環境下での一時的な使用に適したビデオデータ送信ユニット、ビデオカメラ装置、ビデオデータ伝送システムに関するものである。
【背景技術】
【０００２】
従来、ビデオカメラをスポーツパックに収容することにより、水中等の環境であっても使用可能としたものがある（例えば、特許文献１参照）。
【０００３】
また、音声、画像等のアナログ信号をアナログパルス信号に変換し、アナログパルスデータ信号から送信すべき情報信号を生成して無線送信するようにした無線情報通信装置が開示されている（例えば、特許文献２参照）。
【０００４】
【特許文献１】特許第３４６７７８３号公報
【特許文献２】特表２００３−６７８４０号公報
【考案の開示】
【考案が解決しようとする課題】
【０００５】
しかしながら、前記スポーツパック（カメラハウジング）を利用するものは、単にビデオカメラを防水可能な状態にできるだけである。一方、無線情報通信装置は、アナログ信号を無線送信できるに過ぎない。したがって、単純に両技術を組み合わせただけでは、前記カメラハウジングの構造等を変更する必要が生じる。
【０００６】
そこで、本考案は、既存のカメラハウジングの構造を変更することなく、簡単かつ安価に、無線によりビデオデータを送信することのできるビデオデータ送信ユニット、ビデオカメラ装置、ビデオデータ伝送システムを提供することを課題とする。
【課題を解決するための手段】
【０００７】
本考案は、前記課題を解決するための手段として、ビデオデータ送信ユニットを、アンテナと、ビデオカメラから出力されるビデオデータを前記アンテナを介して無線送信するための送信部と、前記送信部に電力を供給するための電源部とを備え、前記ビデオカメラが収容されるカメラハウジングのハウジング本体に形成した開口部を開閉する蓋体に設けたものである。
【０００８】
この構成により、カメラハウジング内にビデオカメラを収容した状態で、蓋体に形成された空間に送信部及び電源部からなるビデオデータ送信ユニットを配置することができるので、デッドスペースを有効利用して容易に取り付けることができ、安価に制作することが可能となる。
【０００９】
前記アンテナは、前記送信部に取り付けられ、前記送信部は、前記蓋体に取り外し可能に取り付けられ、前記電源部は、前記送信部に対して回動可能に連結されるバッテリーケースと、該バッテリーケースに着脱可能なバッテリーとからなり、前記バッテリーケースは前記蓋体に着脱可能であり、前記送信部に対して折り畳んだ状態では装着したバッテリーを取り外し不能となり、前記送信部から開放した状態で、バッテリーを着脱可能とするのが好ましい。
【００１０】
この構成により、蓋体内の狭い空間であってもビデオデータ送信ユニットを配置することができる。しかも、バッテリーの着脱は、送信部に対してバッテリーケースを開放した状態で行うことができるので、作業性に優れている。
【００１１】
前記送信部は前記蓋体に取り付けられる制御基板を備え、前記電源部は動作状態を示す発光部を備え、前記蓋体は、少なくとも前記発光部に対応する位置が透光性を有する材料で構成するのが好ましい。
【００１２】
この構成により、電源部がオン状態にあり、送信部が駆動していることが一目で認識可能となる。
【００１３】
また、本考案は、前記課題を解決するための手段として、ビデオカメラ装置を、ビデオカメラと、該ビデオカメラが開口部を介して収容されるハウジング本体、及び、該ハウジング本体の開口部を開閉可能な蓋体からなるカメラハウジングと、アンテナ、前記ビデオカメラから出力されるビデオデータを前記アンテナを介して無線送信するための送信部、及び、前記送信部に電力を供給するための電源部からなるビデオデータ送信ユニットとを備え、前記ビデオデータ送信ユニットを前記カメラハウジングの蓋体に着脱可能としたものである。
【００１４】
また、本考案は、前記課題を解決するための手段として、ビデオデータ伝送システムを、ビデオカメラ、該ビデオカメラが開口部を介して収容されるハウジング本体、及び、該ハウジング本体の開口部を開閉可能な蓋体からなるカメラハウジング、並びに、アンテナ、前記ビデオカメラから出力されるビデオデータを前記アンテナを介して無線送信するための送信部、及び、前記送信部に電力を供給するための電源部からなるビデオデータ送信ユニットを備え、前記ビデオデータ送信ユニットを前記カメラハウジングの蓋体に着脱可能としたビデオカメラ装置と、前記ビデオデータ送信ユニットから送信されたビデオデータを無線により受信するビデオデータ受信ユニットと、前記ビデオデータ受信ユニットで受信したビデオデータを表示する表示装置とを備えた構成としたものである。
【考案の効果】
【００１５】
本考案によれば、ビデオデータ送信ユニットを、アンテナ、開閉可能に連結した送信部、及び、電源部で構成し、ビデオハウジングの蓋体に収納可能としたので、簡単に着脱することができる上、既存の部品（ビデオハウジング）のデッドスペースを有効利用して安価に制作可能である。
【考案を実施するための最良の形態】
【００１６】
以下、本考案に係る実施形態を添付図面に従って説明する。
【００１７】
図１は本実施形態に係るビデオデータ伝送システムを示す。このシステムは、ビデオカメラ装置１、ビデオデータ受信ユニット２、表示装置３から構成されている。ビデオデータ受信ユニット及び表示装置３は、複数台のビデオカメラ装置１に対して１台で兼用することができる。
【００１８】
ビデオカメラ装置１は、ビデオカメラ４、カメラハウジング５、ビデオデータ送信ユニット６を備えている。
【００１９】
ビデオカメラ４及びカメラハウジング５は従来周知のものである（カメラハウジング５については、例えば、特許第３４６７７８３号公報参照）。カメラハウジング５は、無線電波を透過可能なＰＣ（ポリカーボネート）樹脂及びＡＢＳ（アクロル二トリル・ブタジエン・スチレン）樹脂を成形加工したもので、ハウジング本体７と、その開口部を開閉する蓋体８とで構成されている。ハウジング本体７には、収納可能にミラー９が設けられ、ビデオカメラ４の液晶部分に表示された画像を反射させて見ることができるようになっている。
【００２０】
ビデオデータ送信ユニット６は、各種電子部品が実装される制御基板１０の両面を第１カバー１１及び第２カバー１２によりそれぞれ覆ってなる送信部１３と、バッテリーケース１４にバッテリー１５を着脱可能とした電源部１６とからなり、前記カメラハウジング５の蓋体８に配設される。
【００２１】
送信部１３は、制御基板１０の４隅に貫通孔１７を形成し、この貫通孔１７を介して蓋体８に形成した雌ネジ部１８に螺合することにより固定される。したがって、蓋体８には雌ネジ部１８を形成するだけでよい。つまり、既存のビデオハウジングを利用する場合、蓋体８に雌ネジ部１８を形成するという僅かな変更のみにより、蓋体８に送信部１３を簡単に取り付けることができる。但し、前記固定方法は、ネジ止めに限らず、マジックテープを利用したり、接着したりする等、他の種々の手段を利用することが可能である。第１カバー１１の表面にはマジックテープ１１ａが設けられている。また、第１カバー１１は部分的に切り欠かれ、そこには制御基板１０に実装した電源コネクタ１９、ビデオ入力部２０、周波数設定用ディップスイッチ２１、アンテナ端子（図示せず）等が露出している。電源コネクタ１９には、後述するバッテリーケース１４から延びる電源ケーブル２７が接続される。ビデオ入力部２０には、ビデオカメラ４から延びるビデオ信号入力ケーブル３０が接続され、ビデオ信号が入力される。周波数設定用ディップスイッチ２１は、後述するように、ビデオデータ受信ユニット２との間でのチャネルの設定に利用する。アンテナ端子はアンテナ２３から延びるアンテナケーブル（図示せず）が接続され、制御基板１０で処理されたビデオ信号が入力される。
【００２２】
また、送信部１３の側方には略Ｌ字形の支持板２２を介してアンテナ２３が取り付けられている。アンテナ２３には、前述のように、制御基板１０のアンテナ端子との間に接続したアンテナケーブルを介してビデオ信号が入力され、ビデオデータ受信ユニット２に向かってビデオ信号を送信する。
【００２３】
バッテリーケース１４は、前記送信部１３の第１カバー１１にヒンジ部２４を介して回動可能に連結され、送信部１３に対して直交する開放位置（図３中２点鎖線で示す。）と、送信部１３に対して折り畳まれた閉鎖位置（図３中実線で示す。）とにそれぞれ位置決めされる。バッテリーケース１４には、バッテリー１５が着脱されるバッテリー保持凹部２５が形成されている。バッテリー保持凹部２５を構成する内側面には、バッテリー１５のガイド突条部１５ａが位置するガイド溝２６が形成され、バッテリー１５を常に同一方向で装着できるようになっている。バッテリー保持凹部２５には、装着したバッテリー１５の出力端子が接続される入力端子（図示せず）が露出している。そして、バッテリーケース１４から延びる電源ケーブル２７を介して制御基板１０の電源コネクタ１９に接続され、送信部１３に電力が供給されるようになっている。また、バッテリーケース１４には、電源スイッチ２８と表示ランプ２９が設けられている。表示ランプ２９は、電源スイッチ２８をオンした状態で、バッテリー１５から送信部１３に電力の供給が行われている場合にのみ点灯する。そして、送信部１３に対してバッテリーケース１４を折りたたんだ閉鎖位置で、前記表示ランプ２９は送信部１３の側方に位置し、透光性を有する蓋体８を介して外部から視認可能となっている。また、ビデオカメラの作動状態も、ビデオカメラ４に設けた表示ランプ４ａの表示状態が、やはり前記蓋体８を介して外部から視認可能となっている。
【００２４】
バッテリー１５は、小型化・軽量化を目的として、民生用のカメラバッテリーを転用することができ、前記バッテリーケース１４のバッテリー保持凹部２５に着脱される。バッテリー１５の表面には、前記第１カバー１１に設けたマジックテープ１１ａに着脱可能なマジックテープ１５ｂが設けられている。したがって、ケース１４にバッテリー１５を装着し、送信部１３に対してバッテリーケース１４を折り畳んで閉鎖位置に位置させれば、マジックテープ１９が互いに密着し、その状態が維持される。そして、この状態では、バッテリーケース１４からバッテリー１５を取り外すことはできなくなる。
【００２５】
ビデオデータ受信ユニット２は、前記送信部１３のアンテナ２３から送信されるビデオデータを受信し、表示装置３に表示させる。
【００２６】
表示装置３は、ビデオデータ受信ユニット２で受信したビデオデータを表示可能なものであればよく、ＣＲＴ（Cathode Ray Tube）、液晶、ＥＬ（electroluminescence）ディスプレイ等、種々の手段を利用することができる。
【００２７】
前記ビデオカメラ装置１の組立は次のようにして行う。
【００２８】
まず、カメラハウジング５の蓋体８に雌ネジ部１８を形成する。雌ネジ部１８の形成は、蓋体８に直接雌ネジを形成したり、雌ネジが形成された金具を蓋体８に固定したりすることにより行う。また、電子部品を実装された制御基板１０の表裏面に第１カバー１１及び第２カバー１２を取り付け、第１カバー１１にマジックテープ１１ａを設ける。また、第１カバー１１に支持板２２を介してアンテナ２３を取り付ける。さらに、第１カバー１１にヒンジ部２４を設け、バッテリーケース１４を回動可能に取り付ける。そして、バッテリーケース１４に、マジックテープ１５ｂを設けたバッテリー１５を装着し、バッテリーケース１４及びバッテリー１５（電源部）を送信部１３に対して折り畳む。このとき、第１カバー１１に設けたマジックテープ１１ａにバッテリー１５に設けたマジックテープ１５ｂが貼着され、バッテリー１５は脱落不能な状態となる。これにより、ビデオデータ送信ユニット６が完成する。その後、蓋体８に制御基板１０をネジ止めすることにより、ビデオデータ送信ユニット６をカメラハウジング５に取り付け、ビデオカメラ装置１が完成する。
【００２９】
このように、ビデオデータ送信ユニット６のカメラハウジング５への取り付けは、ネジ止めするだけの簡単な作業で行うことができる。しかも、カメラハウジング５には既存のものを使用することができるので、安価に制作することが可能である。
【００３０】
前記ビデオカメラ装置１は、火災現場、屋外作業現場、機器の点検作業現場等、臨時の監視が必要とされる場所に設置して使用する。
【００３１】
この場合、ビデオデータ送信ユニット６では、アンテナ２３から延びるアンテナケーブルを制御基板１０に接続する。また、バッテリーケース１４から延びる電源ケーブル２７を制御基板１０の電源コネクタ１９に接続する。さらに、ビデオカメラ４から延びるビデオ信号入力ケーブル３０をビデオ入力部２０に接続する。そして、周波数設定用ディップスイッチ２１を操作してチャネルを設定する。一方、ビデオデータ受信ユニット２では、前記ビデオデータ送信ユニット６での設定に合わせてチャネルを設定する。これにより、ビデオデータ送信ユニット６とビデオデータ受信ユニット２の間では、特定省電力の２．４ＧＨｚ帯が使用され、近距離でのビデオ無線中継が可能である。
【００３２】
ビデオカメラ４での撮影が開始されれば、そのビデオデータが制御基板１０に出力され、信号処理されてアンテナ２３を介してビデオデータ受信ユニット２へと送信される。ビデオデータ受信ユニット２では受信したビデオ信号に基づいて表示装置３にビデオカメラ４での撮影画像を表示する。ビデオデータ送信ユニット６では、送信部１３は電源部１６のバッテリー１５からの供給電力により駆動するが、この間、表示ランプ２９が点灯状態を維持する。また、ビデオカメラ４の駆動状態も、ビデオカメラ４に設けた表示ランプ２９の点灯状態で把握することができる。したがって、ビデオデータ受信ユニット２での受信ができない、あるいは、表示装置３での表示ができない場合には、現場に設置したビデオカメラ装置１での表示ランプ２９又は４ａの点灯状態を確認することにより、その原因を特定することができ、必要に応じてバッテリー１５又は４ｂを取り替えればよい。
【図面の簡単な説明】
【００３３】
【図１】本実施形態に係るビデオカメラ装置、ビデオデータ受信ユニット、及び、表示装置を備えたビデオデータ伝送システムを示す図である。
【図２】図１のビデオカメラ装置のビデオ送信ユニットを示す斜視図である。
【図３】図２のヒンジ部を示す部分側面図である。
【符号の説明】
【００３４】
１…ビデオカメラ装置
２…ビデオデータ受信ユニット
３…表示装置
４…ビデオカメラ
４ａ…バッテリー
５…カメラハウジング
６…ビデオデータ送信ユニット
７…ハウジング本体
８…蓋体
９…ミラー
１０…制御基板
１１…第１カバー
１１ａ…マジックテープ
１２…第２カバー
１３…送信部
１４…バッテリーケース
１５…バッテリー
１５ａ…突条部
１５ｂ…マジックテープ
１６…電源部
１７…貫通孔
１８…雌ネジ部
１９…電源コネクタ
２０…ビデオ入力部
２１…周波数設定用ディップスイッチ
２２…支持板
２３…アンテナ
２４…ヒンジ部
２５…バッテリー保持凹部
２６…ガイド溝
２７…電源ケーブル
２８…電源スイッチ
２９…表示ランプ
３０…ビデオ信号入力ケーブル
【図１】
0003114216.tif 000003
【図２】
0003114216.tif 000004
【図３】
0003114216.tif 000005